(57)【特許請求の範囲】
【請求項１】
記録ヘッドにより記録媒体に情報記録する情報記録装置であって、
上記記録媒体に記録する情報を取得する情報取得手段と、
上記記録ヘッドを駆動する第１の駆動手段と、
上記記録ヘッドが上記情報を記録するように上記記録媒体を駆動する第２の駆動手段と、
上記情報取得手段で得られた情報を外部出力する出力手段と、
ユーザの操作に応じて上記記録媒体への記録動作が中断されてから所定の時間が経過した時点において、電源オフ状態に移行するか、上記第１の駆動手段並びに上記第２の駆動手段を停止させ、かつ上記出力手段を継続して動作させる状態に移行するかを選択する制御手段とを備えることを特徴とする情報記録装置。
【請求項２】
記録ヘッドにより記録媒体に情報記録する情報記録装置であって、
上記記録媒体に記録する情報を取得する情報取得手段と、
上記記録ヘッドを駆動する第１の駆動手段と、
上記記録ヘッドが上記情報を記録するように上記記録媒体を駆動する第２の駆動手段と、
上記情報取得手段で得られた情報を外部出力する出力手段と、
所定の動作モードが開始されてから所定の時間が経過した時点において、上記出力手段に他の装置或いはシステムが接続されている場合には、上記第１の駆動手段並びに上記第２の駆動手段を停止させるとともに上記出力手段による上記情報の出力動作を継続させ、上記出力手段に他の装置或いはシステムが接続されていない場合には、上記第１の駆動手段並びに上記第２の駆動手段を停止させるとともに上記出力手段による上記情報の出力動作を停止させるよう制御する制御手段とを備えることを特徴とする情報記録装置。
【請求項３】
上記所定の動作モードは、記録を一時的に停止状態とする記録一時停止モードを含むことを特徴とする請求項２に記載の情報記録装置。
【請求項４】
上記制御手段は、上記第１の駆動手段並びに上記第２の駆動手段を停止させた際に、上記第１の駆動手段及び／又は上記第２の駆動手段を記録の為の位置から待機の為の位置に移動させることを特徴とする請求項１又は２に記載の情報記録装置。
【請求項５】
上記制御手段は、動作の命令を操作ボタンから受け付け可能であることを特徴とする請求項１又は２に記載の情報記録装置。
【請求項６】
上記制御手段は、制御の実行開始までをカウントするタイマーを備えたことを特徴とする請求項１又は２に記載の情報記録装置。
【請求項７】
上記制御手段での制御に関する情報を表示する表示手段を備えることを特徴とする請求項１又は２に記載の情報記録装置。
【請求項８】
記録ヘッドにより記録媒体に画像記録する画像記録装置であって、
画像の信号処理を行う画像処理手段と、
上記記録ヘッドを駆動する第１の駆動手段と、
上記記録ヘッドが上記画像処理手段から得た画像信号を所定位置に記録するように上記記録媒体を駆動する第２の駆動手段と、
上記画像処理手段から得た画像信号を外部出力する出力手段と、
ユーザの操作に応じて上記記録媒体への記録動作が中断されてから所定の時間が経過した時点において、電源オフ状態に移行するか、上記第１の駆動手段並びに上記第２の駆動手段を停止させ、かつ上記画像処理手段並びに上記出力手段を継続して動作させる状態に移行するかを選択する制御手段とを備えることを特徴とする画像記録装置。
【請求項９】
記録ヘッドにより記録媒体に画像記録する画像記録装置であって、
画像の信号処理を行う画像処理手段と、
上記記録ヘッドを駆動する第１の駆動手段と、
上記記録ヘッドが上記画像処理手段から得た画像信号を所定位置に記録するように上記記録媒体を駆動する第２の駆動手段と、
上記画像処理手段から得た画像信号を外部出力する出力手段と、
所定の動作モードが開始されてから所定の時間が経過した時点において、上記出力手段に他の装置或いはシステムが接続されている場合には、上記第１の駆動手段並びに上記第２の駆動手段を停止させるとともに上記画像処理手段並びに上記出力手段による上記画像信号の出力動作を継続させ、上記出力手段に他の装置或いはシステムが接続されていない場合には、上記第１の駆動手段並びに上記第２の駆動手段を停止させるとともに上記画像処理手段並びに上記出力手段による上記画像信号の出力動作を停止させるよう制御する制御手段とを備えることを特徴とする画像記録装置。
【請求項１０】
上記所定の動作モードは、記録を一時的に停止状態とする記録一時停止モードを含むことを特徴とする請求項９に記載の画像記録装置。
【請求項１１】
上記制御手段は、上記第１の駆動手段並びに上記第２の駆動手段を停止させた際に、上記第１の駆動手段及び／又は上記第２の駆動手段を記録の為の位置から待機の為の位置に移動させることを特徴とする請求項８又は９に記載の画像記録装置。
【請求項１２】
上記制御手段は、動作の命令を操作ボタンから受け付け可能であることを特徴とする請求項８又は９に記載の画像記録装置。
【請求項１３】
上記制御手段は、制御の実行開始までをカウントするタイマーを備えたことを特徴とする請求項８又は９に記載の画像記録装置。
【請求項１４】
上記制御手段での制御に関する情報を表示する表示手段を備えることを特徴とする請求項８又は９に記載の画像記録装置。
【請求項１５】
上記画像を撮像する為の撮像手段を有し、
上記制御手段は、上記第１の駆動手段並びに上記第２の駆動手段を停止させ、かつ上記画像処理手段並びに上記出力手段を継続して動作させる際に、上記撮像手段を継続して動作させるよう制御することを特徴とする請求項８又は９に記載の画像記録装置。
【請求項１６】
上記記録媒体は磁気テープであり、上記第２の駆動手段はリールモータを含むことを特徴とする請求項１１に記載の画像記録装置。
【請求項１７】
上記記録媒体はディスク状記録媒体であり、上記第１の駆動手段はアクチュエータを含むことを特徴とする請求項１１に記載の画像記録装置。
【請求項１８】
入力された画像信号を記録媒体上に記録する画像記録装置であって、
上記記録媒体及び記録ヘッドを駆動する駆動手段と、
上記画像信号に所定の信号処理を施して上記記録ヘッドへと供給することによって記録動作を行なう記録手段と、
上記画像信号を外部へと出力する出力手段と、
上記記録手段による記録動作を中断してから所定の時間が経過した時点において、上記出力手段に他の装置或いはシステムが接続されている場合には、上記駆動手段による上記記録媒体及び上記記録ヘッドの駆動を停止するとともに上記出力手段による上記画像信号の出力動作を継続させ、上記出力手段に他の装置或いはシステムが接続されていない場合には、上記駆動手段による上記記録媒体及び上記記録ヘッドの駆動を停止するとともに上記出力手段による上記画像信号の出力動作を停止させるよう制御する制御手段とを備えたことを特徴とする画像記録装置。
【請求項１９】
上記記録媒体はテープ状記録媒体で、上記記録ヘッドは回転ヘッドであり、上記駆動手段は、上記テープ状記録媒体を走行させながら、上記回転ヘッドを駆動して記録動作を行なうように構成されていることを特徴とする請求項１８に記載の画像記録装置。
【請求項２０】
上記出力手段に接続されている上記他の装置或いはシステムとは、上記画像信号が表わす画像を表示するモニタを含むことを特徴とする請求項１８に記載の画像記録装置。
【発明の詳細な説明】
【０００１】
【発明の属する技術分野】
本発明は、例えば、記録モードや記録一時停止モード等の動作モードで動作するカメラ一体型記録装置に用いられる、情報記録装置及び画像記録装置に関するものである。
【０００２】
【従来の技術】
近年では、家庭用のカメラ一体型ディジタル記録装置（以下、単に「カメラ一体型ディジタル記録装置」又は「カメラ一体型ＶＣＲ装置」とも言う）が多く利用されている。また、家庭用のカメラ一体型記録装置の画質向上により、小型である家庭用装置の特徴を生かして、業務用向けとしても利用されるケースが増えてきている。
【０００３】
図１６は、上記のカメラ一体型記録装置８００の構成を示すブロック図である。
カメラ一体型記録装置８００は、上記図１６に示すように、メカシャーシ８３１、サーボ／メカ駆動回路８３３、マイクロコンピュータ（マイコン）８３４、電源スイッチ８３５、操作キー８３６、電源回路（電源供給回路）８３７、カメラブロック８３８、及びビデオ／オーディオ信号処理回路８３９を備えている。
【０００４】
メカシャーシ８３１は、記録媒体である磁気テープ８３２が装着されると共に、図示していないが、磁気ヘッドが具備された回転ドラム、磁気テープ８３２送りを行うためのキャプスタン、及びピンチローラが具備されている。
サーボ／メカ駆動回路８３３は、メカシャーシ８３１を駆動する。
【０００５】
マイコン８３４は、サーボ／メカ駆動回路８３３を制御すると共に、カメラ一体型記録装置８００全体の電源ＯＮ／ＯＦＦを選択する電源スイッチ８３５の状態を判別し、この判別により、電源ＯＮ状態が選択されている場合には電源回路８３７をＯＮすることでカメラ一体型記録装置８００全体に電源供給し、電源ＯＦＦ状態が選択されている場合には電源回路８３７をＯＦＦする。
【０００６】
操作キー８３６は、カメラ一体型記録装置８００に対して、記録モードや記録一時停止モード等の動作モードを選択するための操作ボタンを有する。
【０００７】
カメラブロック８３８は、マイクロフォン、レンズ、及びカメラ信号処理回路等を有する構成により、被写体の撮影信号（ビデオ信号及びオーディオ信号）を出力する。
ビデオ／オーディオ信号処理回路８３９は、カメラブロック８３８から出力されるカメラビデオ信号及びオーディオ信号を処理し、メカシャーシ８３１が具備する磁気ヘッドを介して磁気テープ８３２で記録されるべきＲＦ信号に変換する。
【０００８】
上述のようなカメラ一体型記録装置８００によりユーザが撮影を行う場合、先ず、ユーザは、電源スイッチ８３５をＯＦＦ状態からＯＮ状態にする。
【０００９】
マイコン８３４は、電源スイッチがＯＮ状態であることを検出すると、電源回路８３７をＯＮ状態とする。これにより、カメラ一体型記録装置８００全体に電源が供給される。
【００１０】
また、マイコン８３４は、サーボ／メカ駆動回路８３３を介して、メカシャーシ８３１に記録可能な磁気テープ８３２が装着されているか否かを検出する。
この検出の結果、記録可能な磁気テープ８３２がメカシャーシ８３１に装着されている場合、マイコン８３４は、自動的に、メカシャーシ８３１の状態を停止モードから記録一時停止モードへ移行させる（ローディングする）ように、サーボ／メカ駆動回路８３３を制御する。
【００１１】
サーボ／メカ駆動回路８３３は、マイコン８３４からの制御に基づいて、メカシャーシ８３１に具備された回転ドラムのドラムモータを回転させると共に、キャプスタン及びピンチローラを磁気テープ８３２に圧着させ、回転する磁気ヘッドと磁気テープ８３２を適度なテンションで接触するように制御する。これにより、記録一時停止モードへの動作モード移行が終了する。
【００１２】
次に、ユーザは、カメラブロック８３８で撮影対象の被写体を捕え、所望する撮影状態となると、操作キー８３６が有する記録開始ボタンを操作する。
【００１３】
マイコン８３４は、操作キー８３６の記録開始ボタンの操作を検出すると、サーボ／メカ駆動回路８３３に対して、メカシャーシ８３１のキャプスタンモータ駆動を指示することで、磁気テープ８３２送りを開始させる。これにより、実記録モードへの移行が終了する。
【００１４】
ユーザが、実記録モードを一時的に停止させたい場合、ユーザは、操作キー８３６に具備された記録一時停止ボタンを操作する。
【００１５】
マイコン８３４は、操作キー８３６の記録一時停止ボタンの操作を検出すると、サーボ／メカ駆動回路８３３に対してメカシャーシ８３１のキャプスタンモータ駆動の停止を指示し、再度操作キー８３６の記録開始ボタンが操作されるまで、記録一時停止モードを継続するように、カメラ一体型記録装置８００全体を制御する。
【００１６】
ここで、記録一時停止モードが継続された場合、まず、このときのカメラ一体型記録装置８００の状態は、磁気テープ８３２送りが給送停止状態であるため、高速で回転する磁気ヘッドにより、磁気テープ８３２の同一部分がトレースされ続けている状態にある。
【００１７】
磁気テープ８３２の同一部分が、メカシャーシ８３１の磁気ヘッドから継続してトレースされ続けた場合、磁気テープ８３２の表層にコーティングされている保護幕が傷つけられ、磁性粉等により磁気ヘッドが目詰まってしまう等の問題が発生してしまう場合がある。
【００１８】
また、記録一時停止モードにおいては、メカシャーシ８３１のドラムモータがサーボ／メカ駆動回路８３３により駆動されているため、カメラ一体型記録装置８００全体の消費電力が大きくなる。特に、電池駆動の場合には、長時間の記録一時停止モードの継続は、電池の消耗を招くので、不用意な放置は好ましくない。
【００１９】
そこで、マイコン８３４は、記録一時停止モードが所定時間継続したか否かを判断し、この判断の結果、記録一時停止モードが所定時間継続した場合、自動的に、メカシャーシ８３１の状態を記録一時停止モードから停止モードへ移行させるように、サーボ／メカ駆動回路８３３を制御する。
【００２０】
サーボ／メカ駆動回路８３３は、マイコン８３４からの制御に基づいて、メカシャーシ８３１のキャプスタンとピンチローラの圧着を解除し、回転ドラムのドラムモータを停止させる。
【００２１】
マイコン８３４は、メカシャーシ８３１による停止モードへの移行の完了を認識すると、電源回路８３７に対して、カメラ一体型記録装置８００全体への電源供給をＯＦＦするように指示する。
【００２２】
【発明が解決しようとする課題】
ところで、上記図１６に示したカメラ一体型記録装置８００を映像製作等の業務用として使用した場合、例えば、カメラ一体型記録装置８００のビデオ出力をＴＶモニタに接続する等して、映像制作監督者等がカメラマンが捕らえている撮影対象を常時モニタリングするための設備が準備される。これにより、野生動物等の撮影では、長時間に渡ってＴＶモニタで撮影対象を観察しつつ、限られた撮影チャンスを捕らえることができる。
【００２３】
しかしながら、従来のカメラ一体型記録装置８００は、上述したように、記録一時停止モードが所定時間継続すると、自動的に電源ＯＦＦとなるように構成されていた。
【００２４】
したがって、従来のカメラ一体型記録装置８００において、例えば、野生動物等の撮影で撮影チャンスを捕らえるために、記録一時停止モードとしている場合、所定時間となると自動的に電源ＯＦＦされてしまうため、ＴＶモニタに出力されるビデオ信号（映像）が中断してしまうばかりでなく、撮影チャンスが到来したと同時に電源ＯＦＦとなってしまう等の問題が発生する。特に、映像製作等では、一旦カメラ一体型記録装置８００が電源ＯＦＦとなり、ＴＶモニタに出力された映像が中断してしまうと、再度カメラ一体型記録装置８００を電源ＯＮし、撮影対象の構図を再設定した後に、複数人の撮影スタッフの準備を再度行う必要があるため、撮影開始できるまでに、かなりの時間を要してしまう場合があった。
【００２５】
そこで、本発明は、上記の欠点を除去するために成されたもので、家庭用としても業務用としても不都合なく情報記録動作を行える、情報記録装置及び画像記録装置を提供することを目的とする。
【００２６】
【課題を解決するための手段】
斯かる目的下において、本発明の情報記録装置は、記録ヘッドにより記録媒体に情報記録する情報記録装置であって、上記記録媒体に記録する情報を取得する情報取得手段と、上記記録ヘッドを駆動する第１の駆動手段と、上記記録ヘッドが上記情報を記録するように上記記録媒体を駆動する第２の駆動手段と、上記情報取得手段で得られた情報を外部出力する出力手段と、ユーザの操作に応じて上記記録媒体への記録動作が中断されてから所定の時間が経過した時点において、電源オフ状態に移行するか、上記第１の駆動手段並びに上記第２の駆動手段を停止させ、かつ上記出力手段を継続して動作させる状態に移行するかを選択する制御手段とを備えることを特徴とする。
また、本発明の情報記録装置は、記録ヘッドにより記録媒体に情報記録する情報記録装置であって、上記記録媒体に記録する情報を取得する情報取得手段と、上記記録ヘッドを駆動する第１の駆動手段と、上記記録ヘッドが上記情報を記録するように上記記録媒体を駆動する第２の駆動手段と、上記情報取得手段で得られた情報を外部出力する出力手段と、所定の動作モードが開始されてから所定の時間が経過した時点において、上記出力手段に他の装置或いはシステムが接続されている場合には、上記第１の駆動手段並びに上記第２の駆動手段を停止させるとともに上記出力手段による上記情報の出力動作を継続させ、上記出力手段に他の装置或いはシステムが接続されていない場合には、上記第１の駆動手段並びに上記第２の駆動手段を停止させるとともに上記出力手段による上記情報の出力動作を停止させるよう制御する制御手段とを備えることを特徴とする。
【００２７】
斯かる目的下において、本発明の画像記録装置は、記録ヘッドにより記録媒体に画像記録する画像記録装置であって、画像の信号処理を行う画像処理手段と、上記記録ヘッドを駆動する第１の駆動手段と、上記記録ヘッドが上記画像処理手段から得た画像信号を所定位置に記録するように上記記録媒体を駆動する第２の駆動手段と、上記画像処理手段から得た画像信号を外部出力する出力手段と、ユーザの操作に応じて上記記録媒体への記録動作が中断されてから所定の時間が経過した時点において、電源オフ状態に移行するか、上記第１の駆動手段並びに上記第２の駆動手段を停止させ、かつ上記画像処理手段並びに上記出力手段を継続して動作させる状態に移行するかを選択する制御手段とを備えることを特徴とする。
また、本発明の画像記録装置は、記録ヘッドにより記録媒体に画像記録する画像記録装置であって、画像の信号処理を行う画像処理手段と、上記記録ヘッドを駆動する第１の駆動手段と、上記記録ヘッドが上記画像処理手段から得た画像信号を所定位置に記録するように上記記録媒体を駆動する第２の駆動手段と、上記画像処理手段から得た画像信号を外部出力する出力手段と、所定の動作モードが開始されてから所定の時間が経過した時点において、上記出力手段に他の装置或いはシステムが接続されている場合には、上記第１の駆動手段並びに上記第２の駆動手段を停止させるとともに上記画像処理手段並びに上記出力手段による上記画像信号の出力動作を継続させ、上記出力手段に他の装置或いはシステムが接続されていない場合には、上記第１の駆動手段並びに上記第２の駆動手段を停止させるとともに上記画像処理手段並びに上記出力手段による上記画像信号の出力動作を停止させるよう制御する制御手段とを備えることを特徴とする。
また、本発明の画像記録装置は、入力された画像信号を記録媒体上に記録する画像記録装置であって、上記記録媒体及び記録ヘッドを駆動する駆動手段と、上記画像信号に所定の信号処理を施して上記記録ヘッドへと供給することによって記録動作を行なう記録手段と、上記画像信号を外部へと出力する出力手段と、上記記録手段による記録動作を中断してから所定の時間が経過した時点において、上記出力手段に他の装置或いはシステムが接続されている場合には、上記駆動手段による上記記録媒体及び上記記録ヘッドの駆動を停止するとともに上記出力手段による上記画像信号の出力動作を継続させ、上記出力手段に他の装置或いはシステムが接続されていない場合には、上記駆動手段による上記記録媒体及び上記記録ヘッドの駆動を停止するとともに上記出力手段による上記画像信号の出力動作を停止させるよう制御する制御手段とを備えたことを特徴とする。
【００２９】
具体的には例えば、磁気テープやディスク記録媒体等の記録媒体に対して、カメラ（情報取得手段）で得られた情報を記録するために、記録ヘッドが具備されたドラム、及び記録媒体を搬送するためのキャプスタンモータが駆動するように構成されたカメラ一体型記録装置の動作モードが、キャプスタンモータが停止状態にあり、ドラムが駆動状態にある記録一時停止モードの場合、ユーザからの操作（メニュー画面等による外部指示）に基づいて、当該ドラムをも停止状態とする。
【００３０】
また、タイマー計測により、記録一時停止モードが所定時間継続したことを検出した場合に、ドラムを停止状態とする。或いは、信号出力端子やディジタル信号インターフェース端子（出力手段）の接続状態を検出し、当該検出結果に基づいて、ドラムを停止状態とする。
【００３１】
また、キャプスタンモータ及びドラムの停止状態において、信号出力端子やディジタル信号インターフェース端子（出力手段）の出力は継続して行う。
【００３２】
また、キャプスタンモータ及びドラムの停止状態で、且つ信号出力端子やディジタル信号インターフェース端子（出力手段）の出力は継続して行う制御（第１の制御）と、電源ＯＦＦとする制御（第２の制御）との何れかの制御を実行するかは、ユーザが任意に選択可能（最終モードの選択可能）とする。
【００３３】
【発明の実施の形態】
以下、本発明の実施の形態について図面を用いて説明する。
【００３４】
[第１の実施の形態]
本発明は、例えば、図１に示すようなカメラ一体型記録装置１００に適用される。
本実施の形態のカメラ一体型記録装置１００は、記録一時停止モードが所定時間継続した場合、自動的にカメラ一体型記録装置１００を電源ＯＦＦせずに、ユーザからの指示に従って、記録媒体１０１を搬送するための回転ドラム１０２及びキャプスタン／ピンチローラ１０３のみ停止モードとし、カメラブロック１０６から出力されるビデオ信号（映像）については継続的に外部出力するモードとするように構成されている。これにより、カメラ一体型記録装置１００は、家庭用としても業務用としても不都合なく使用可能となる。
以下、本実施の形態のカメラ一体型記録装置１００の動作及び構成について具体的に説明する。
【００３５】
＜カメラ一体型記録装置１００の構成＞
カメラ一体型記録装置１００は、上記図１に示すように、回転ドラム１０２、キャプスタン／ピンチローラ１０３、サーボ／メカ駆動回路１０４、ビデオ／オーディオ信号処理回路１０５、カメラブロック１０６、マイクロフォン１０７、ビデオ信号端子１０８、マイクロコンピュータ（マイコン）１０９、表示文字発生回路１１０、操作キー１１１、及び表示パネル１１２を備えている。
【００３６】
回転ドラム１０２には、磁気ヘッドが具備されている。
キャプスタン／ピンチローラ１０３は、テープのローディングやアンローディングが可能なメカ機構、及びリールモータ等のテープ駆動機構を含み、磁気テープ１０１の送りを行う。
サーボ／メカ駆動回路１０４は、回転ドラム１０２及びキャプスタン／ピンチローラ１０３を駆動する。
【００３７】
尚、回転ドラム１０２及びキャプスタン／ピンチローラ１０３をまとめて「メカシャーシ」とも言う。
【００３８】
マイコン１０９は、ＣＰＵやメモリ等を有し、カメラ一体型記録装置１００全体の動作制御を司る。
操作キー１１１は、カメラ一体型記録装置１００に対して各種動作指示等を行うためのボタン等を有する。
【００３９】
カメラブロック１０６は、レンズ及びカメラ信号処理回路等を有する構成により、被写体の撮影信号（ビデオ信号及びオーディオ信号）を出力する。
ビデオ／オーディオ信号処理回路１０５は、カメラブロック１０６から出力されるビデオ信号及びオーディオ信号を処理し、回転ドラム１０２が具備する磁気ヘッドを介して磁気テープ１０１で記録されるべきＲＦ信号に変換する。
ビデオ信号端子１０８は、ビデオ／オーディオ信号処理回路１０５での処理後のビデオ信号を、ＴＶモニタ等へ外部出力する。
【００４０】
表示文字発生回路１１０は、マイコン１０９からの制御に基づいて、例えば、ユーザが行った操作キー１１１の操作に対応する文字データを、ビデオ／オーディオ信号処理回路１０５を介して表示パネル１１２に対して出力する。これにより、表示パネル１１２には、ユーザ操作に対応する文字が表示される。
【００４１】
＜カメラ一体型記録装置１００の動作＞
図２は、カメラ一体型記録装置１００の主なる動作をフローチャートによって示したものである。
例えば、マイコン１０９は、ＣＰＵにより、プログラムメモリに予め格納された上記図２のフローチャートに従った処理プログラムを読み出して実行する。これにより、カメラ一体型記録装置１００は次のように動作する。
【００４２】
ステップＳ２０１：
マイコン１０９は、操作キー１１１がユーザから操作されているか否かを判別し、この判別の結果、操作有り（操作Ｋｅｙ入力有り）の場合のみ、次のステップＳ２０２からの処理を実行する。
【００４３】
ステップＳ２０２：
ステップＳ２０１の判別の結果、ユーザから操作キー１１１が操作されている場合、マイコン１０９は、カメラ一体型記録装置１００の現在の動作モードが「記録一時停止モード」であるか否かを判別する。
この判別の結果、「記録一時停止モード」である場合には次のステップＳ２０３に進み、そうでない場合には後述するステップＳ２０４に進む。
【００４４】
ステップＳ２０３：
ステップＳ２０２の判別の結果、カメラ一体型記録装置１００が「記録一時停止モード」である場合、マイコン１０９は、メカシャーシ（回転ドラム１０２及びキャプスタン／ピンチローラ１０３）のみ停止モードとし、ビデオ信号端子１０８からの出力（カメラブロック１０６で撮像して、ビデオ／オーディオ信号処理回路１０５で処理されたビデオ信号）が継続的にＴＶモニタ等に対して出力されるように制御する。メカシャーシのみの停止モードに移行したときの動作としては、具体的に回転ドラム１０２を停止させ、キャプスタン／ピンチローラ１０３を停止させるものとする。さらに、磁気テープ１０１を回転ドラム１０２との接触（巻きつけ）から開放する（アンローディング状態に戻す）動作を含めても良い。
【００４５】
ステップＳ２０４：
ステップＳ２０２の判別の結果、カメラ一体型記録装置１００が「記録一時停止モード」でない場合、マイコン１０９は、カメラ一体型記録装置１００の動作モードを「記録一時停止モード」へ移行させる。
【００４６】
上述のように本実施の形態では、カメラ一体型記録装置１００が記録一時停止モードの場合、自動的に電源ＯＦＦモードへの移行をせずに、メカシャーシ（回転ドラム１０２及びキャプスタン／ピンチローラ１０３）のみ停止モードへ移行させ、ビデオ信号端子１０８からは継続的に撮像中のビデオ信号（映像）を出力するように構成したので、意図せずに装置が自動的に電源ＯＦＦモード等に移行してしまい接続モニタの映像が中断してしまう等という従来の問題点を解決することができる。
【００４７】
[第２の実施の形態]
本実施の形態では、上記図１のカメラ一体型記録装置１００において、動作モードに関する情報を表示パネル１１２で表示する。
【００４８】
例えば、カメラ一体型記録装置１００が、電源投入され自動的に記録一時停止モードへ移行した後の状態において、ユーザが、操作キー１１１の操作により、メカシャーシ（回転ドラム１０２及びキャプスタン／ピンチローラ１０３）のみ停止モードへ移行させようとする場合、当該ユーザ操作に基づいて、表示パネル１１２に対して、図３（ａ）に示すような文字「ドラムＳＴＯＰ」を表示する。また、ユーザが、操作キー１１１の操作により、メカシャーシの停止モード状態から記録一時停止モードへ移行させようとする場合、当該ユーザ操作に基づいて、表示パネル１１２に対して、上記図３（ｂ）に示すような文字「Ｒｅｃ  Ｐａｕｓｅ」を表示する。
【００４９】
図４は、本実施の形態のカメラ一体型記録装置１００の動作をフローチャートによって示したものである。
例えば、マイコン１０９は、ＣＰＵにより、プログラムメモリに予め格納された上記図４のフローチャートに従った処理プログラムを読み出して実行する。これにより、カメラ一体型記録装置１００は次のように動作する。
【００５０】
ステップＳ２１１：
マイコン１０９は、操作キー１１１がユーザから操作されているか否かを判別し、この判別の結果、操作有り（操作Ｋｅｙ入力有り）の場合のみ、次のステップＳ２１２からの処理を実行する。
【００５１】
ステップＳ２１２：
ステップＳ２１１の判別の結果、ユーザから操作キー１１１が操作されている場合、マイコン１０９は、カメラ一体型記録装置１００の現在の動作モードが「記録一時停止モード」であるか否かを判別する。
この判別の結果、「記録一時停止モード」である場合には次のステップＳ２１３からの処理に進み、そうでない場合には後述するステップＳ２１７からの処理に進む。
【００５２】
ステップＳ２１３：
ステップＳ２１２の判別の結果、カメラ一体型記録装置１００が「記録一時停止モード」である場合、マイコン１０９は、表示文字発生回路１１０に対して、表示パネル１１２に上記図３（ａ）に示したような文字「ドラムＳＴＯＰ」を出力するように指示する。
【００５３】
ステップＳ２１４：
マイコン１０９は、一定時間タイマカウントする。ここでの一定時間とは、カメラ一体型記録装置１００が次に移行する動作モードをユーザが認識できる程度の時間を含む。この間、表示パネル１１２には、上記図３（ａ）の文字「ドラムＳＴＯＰ」が表示される。
【００５４】
ステップＳ２１５：
マイコン１０９は、再び、操作キー１１１がユーザから操作されているか否かを判別し、この判別の結果、操作有り（操作Ｋｅｙ入力有り）の場合のみ次のステップＳ２１６の処理を実行し、操作無しの場合（例えば、ユーザが誤操作を認識し、操作キー１１１の操作が継続していない場合）には本処理終了とする。
【００５５】
ステップＳ２１６：
ステップＳ２１５の判別の結果、ユーザから操作キー１１１が継続して操作されている場合、マイコン１０９は、メカシャーシ（回転ドラム１０２及びキャプスタン／ピンチローラ１０３）のみ停止モードとし、ビデオ信号端子１０８からの出力（カメラブロック１０６で撮像して、ビデオ／オーディオ信号処理回路１０５で処理されたビデオ信号）が継続的にＴＶモニタ等に対して出力されるように制御する。メカシャーシのみの停止モードに移行したときの動作としては、具体的に回転ドラム１０２を停止させ、キャプスタン／ピンチローラ１０３を停止させるものとする。さらに、磁気テープ１０１を回転ドラム１０２との接触（巻きつけ）から開放する（アンローディング状態に戻す）動作を含めても良い。
【００５６】
ステップＳ２１７：
ステップＳ２１２の判別の結果、カメラ一体型記録装置１００が「記録一時停止モード」でない場合、マイコン１０９は、表示文字発生回路１１０に対して、表示パネル１１２に上記図３（ｂ）に示したような文字「Ｒｅｃ  Ｐａｕｓｅ」を出力するように指示する。
【００５７】
ステップＳ２１８：
マイコン１０９は、一定時間タイマカウントする。ここでの一定時間とは、カメラ一体型記録装置１００が次に移行する動作モードをユーザが認識できる程度の時間を含む。この間、表示パネル１１２には、上記図３（ｂ）の文字「Ｒｅｃ
Ｐａｕｓｅ」が表示される。
【００５８】
ステップＳ２１９：
マイコン１０９は、再び、操作キー１１１がユーザから操作されているか否かを判別し、この判別の結果、操作有り（操作Ｋｅｙ入力有り）の場合のみ次のステップＳ２２０の処理を実行し、操作無しの場合（例えば、ユーザが誤操作を認識し、操作キー１１１の操作が継続していない場合）には本処理終了とする。
【００５９】
ステップＳ２２０：
ステップＳ２１９の判別の結果、ユーザから操作キー１１１が継続して操作されている場合、マイコン１０９は、カメラ一体型記録装置１００の動作モードを「記録一時停止モード」へ移行させる。
【００６０】
上述のように本実施の形態では、カメラ一体型記録装置１００が移行する動作モードを表示するように構成したので、より操作性を向上させることができる。
【００６１】
[第３の実施の形態]
本発明は、例えば、図５に示すようなカメラ一体型記録装置３００に適用される。
本実施の形態のカメラ一体型記録装置３００は、上記図１のカメラ一体型記録装置１００が磁気テープ１０１に情報記録する装置であるのに対して、例えば、ディスク記録媒体３１４に情報記録するように構成されている。
【００６２】
尚、上記図５のカメラ一体型記録装置３００において、上記図１のカメラ一体型記録装置１００と同様に機能する個所には同じ符号を付し、その詳細な説明は省略する。
【００６３】
具体的には、カメラ一体型記録装置３００は、ディスク記録媒体３１４を回転駆動するディスクモータ３１５、ディスク記録媒体３１４に信号を記録するための信号ヘッド３１６、及び信号ヘッド３１６の搬送を行うアクチュエータ３１７を備えている。したがって、サーボ／メカ駆動回路１０４は、ディスクモータ３１５及びアクチュエータ３１７を駆動制御する。
【００６４】
また、カメラ一体型記録装置３００は、ビデオ／オーディオ信号処理回路１０５から出力される信号をディジタル符号に変換するディジタル信号処理回路３１３を備えている。
【００６５】
上述のようなカメラ一体型記録装置３００において、記録一時停止モードでは、マイコン１０９は、サーボ／メカ駆動回路１０４により、ディスクモータ３１５を駆動制御すると共に、アクチュエータ３１７を介して信号ヘッド３１６を記録開始ポジションに制御する。
また、サーボ／メカのみの停止モードでは、マイコン１０９は、サーボ／メカ駆動回路１０４により、ディスクモータ３１５の駆動を停止制御すると共に、アクチュエータ３１７を介して信号ヘッド３１６を待機ポジションに移動制御する。もしくは、サーボ／メカのみの停止モードにおいては、ディスクモータ３１５の駆動を停止制御し、信号ヘッド３１６は現在の位置を保持したまま待機（または記録開始位置で待機）するよう制御しても良い。
【００６６】
本実施の形態においても、カメラ一体型記録装置３００が、上記図２或いは上記図４に示したフローチャートに従って動作することで、第１及び第２の実施の形態における効果と同様の効果が得られる。
【００６７】
[第４の実施の形態]
本実施の形態では、上記図１のカメラ一体型記録装置１００において、特に、所定期間、記録一時停止モードが継続した場合、自動的に停止モードヘの動作モードの移行、及びカメラ一体型記録装置１００全体を電源ＯＦＦとする制御（以下、「シャットオフ制御」とも言う）を実行するか、或いはメカシャーシ（回転ドラム１０２及びキャプスタン／ピンチローラ１０３）のみ停止モードへ移行させ、ビデオ信号端子１０８からは継続的に映像を出力する制御（以下、「ＶＣＲストップ制御」とも言う）を実行するかを、ユーザが任意に選択可能なように構成する。
【００６８】
図６（ａ）及び（ｂ）は、上記の選択操作の際の、表示パネル１１２による表示の一例を示したものである。
上記図６（ａ）は、ユーザから「シャットオフ制御」が選択された場合の表示を示したものであり、同図（ｂ）は、ユーザから「ＶＣＲストップ制御」が選択された場合の表示を示したものである。
【００６９】
図７は、カメラ一体型記録装置１００の動作をフローチャートによって示したものである。
例えば、マイコン１０９は、ＣＰＵにより、プログラムメモリに予め格納された上記図７のフローチャートに従った処理プログラムを読み出して実行する。これにより、カメラ一体型記録装置１００は次のように動作する。
【００７０】
ステップＳ４０１：
マイコン１０９は、カメラ一体型記録装置１００が遷移する動作モードが「記録一時停止モード」であるか否かを判別する。
この判別の結果、カメラ一体型記録装置１００が記録一時停止モードに遷移する場合のみ次のステップＳ４０２からの処理に進み、そうでない場合には本処理終了となる。
【００７１】
ステップＳ４０２：
ステップＳ４０１の判別の結果、カメラ一体型記録装置１００が記録一時停止モードに遷移する場合、マイコン１０９は、記録一時停止モードの継続時間をカウントするタイマを初期化する。
【００７２】
ステップＳ４０３：
マイコン１０９は、操作キー１１１によりユーザから新たな動作モードの遷移に関する操作が行なわれたか否かを判別する。
この判別の結果、操作ありの場合（モード遷移有りの場合）には該当するモード遷移を行って再びステップＳ４０１へ戻り以降の処理ステップを繰り返し実行し、操作無しの場合に次のステップＳ４０４からの処理に進む。
【００７３】
ステップＳ４０４：
ステップＳ４０３の判別の結果、モード遷移無しの場合、マイコン１０９は、ステップＳ４０２で初期化したタイマをカウント（加算処理）する。
【００７４】
ステップＳ４０５：
マイコン１０９は、ステップＳ４０４でのタイマのカウント結果により、記録一時停止モードが所定期間（上記図７では、５分）、継続したか否かを判別する。
この判別の結果、記録一時停止モードが所定期間継続していない場合には再びステップＳ４０３へ戻り以降の処理ステップを繰り返し実行し、記録一時停止モードが所定期間継続した場合に次のステップＳ４０６に進む。
【００７５】
ステップＳ４０６：
ステップＳ４０５の判別の結果、記録一時停止モードが所定期間継続した場合、マイコン１０９は、上記図６（ａ）及び（ｂ）で示したようなユーザ選択により、「シャットオフ制御」が選択されているか、或いは「ＶＣＲストップ制御」が選択されているかを判別する。
この判別の結果、「シャットオフ制御」選択の場合にはステップＳ４０８に進み、「ＶＣＲストップ制御」選択の場合にはステップＳ４０７に進む。
【００７６】
ステップＳ４０７：
ステップＳ４０６の判別の結果、「ＶＣＲストップ制御」選択の場合、マイコン１０９は、メカシャーシ（回転ドラム１０２及びキャプスタン／ピンチローラ１０３）のみ停止モードへ移行させ、ビデオ信号端子１０８からは継続的に撮像中の映像を出力する制御を実行する。
【００７７】
ステップＳ４０８：
ステップＳ４０６の判別の結果、「シャットオフ制御」選択の場合、マイコン１０９は、自動的に停止モードヘの動作モードの移行、及びカメラ一体型記録装置１００全体を電源ＯＦＦとする制御を実行する。
【００７８】
上述のように本実施の形態では、所定期間記録一時停止モードが継続した場合に、自動的に停止モードヘの動作モードの移行、及びカメラ一体型記録装置１００全体を電源ＯＦＦとする制御（シャットオフ制御）を実行するか、或いはメカシャーシ（回転ドラム１０２及びキャプスタン／ピンチローラ１０３）のみ停止モードへ移行させ、ビデオ信号端子１０８からは継続的に撮像中の映像を出力する制御（ＶＣＲストップ制御）を実行するかを、ユーザが任意に選択可能なように構成したので、意図せずに装置が自動的に電源ＯＦＦモード等に移行してしまい接続モニタの映像が中断してしまう等という従来の問題点を解決することができる。
【００７９】
[第５の実施の形態]
本発明は、例えば、図８に示すようなカメラ一体型記録装置５００に適用される。
本実施の形態のカメラ一体型記録装置５００は、上記図１のカメラ一体型記録装置１００の構成に対して、ビデオケーブル５１４によりＴＶモニタ５１５が接続可能な構成としている。
このため、カメラ一体型記録装置５００は、ビデオ信号端子１０８に対してビデオケーブル５１４が接続されているか否かを検出するスイッチ５１３を備えている。
【００８０】
尚、上記図８のカメラ一体型記録装置５００において、上記図１のカメラ一体型記録装置１００と同様に機能する個所には同じ符号を付し、その詳細な説明は省略する。
【００８１】
図９は、カメラ一体型記録装置５００の動作をフローチャートによって示したものである。
例えば、マイコン１０９は、ＣＰＵにより、プログラムメモリに予め格納された上記図９のフローチャートに従った処理プログラムを読み出して実行する。これにより、カメラ一体型記録装置５００は次のように動作する。
【００８２】
尚、上記図９のフローチャートにおいて、上記図７のフローチャートと同様の処理実行する個所には同じ符号を付し、その詳細な説明は省略する。
【００８３】
すなわち、上記図７に示した動作（第４の実施の形態参照）では、ステップＳ４０６において、ユーザから「シャットオフ制御」が選択されているか、或いは「ＶＣＲストップ制御」が選択されているかを判別し、この判別結果に基づいて、ステップＳ４０７のＶＣＲストップ制御を実行する、或いはステップＳ４０８のシャットオフ制御を実行するが、本実施の形態では、上記図９に示すように、ステップＳ４０６´において、マイコン１０９は、スイッチ５１３の検出結果により、ビデオ信号端子１０８にビデオケーブル５１４が接続されているか否かを判別する。
【００８４】
ステップＳ４０６´の判別の結果、ビデオ信号端子１０８にビデオケーブル５１４が接続されている場合、マイコン１０９は、ＶＣＲストップ制御を実行する（ステップＳ４０７）。一方、ビデオ信号端子１０８にビデオケーブル５１４が接続されていない場合、マイコン１０９は、シャットオフ制御を実行する（ステップＳ４０８）。
【００８５】
上述のように本実施の形態では、所定期間記録一時停止モードが継続した場合に、自動的に停止モードヘの動作モードの移行、及びカメラ一体型記録装置１００全体を電源ＯＦＦとする制御（シャットオフ制御）を実行するか、或いはメカシャーシ（回転ドラム１０２及びキャプスタン／ピンチローラ１０３）のみ停止モードへ移行させ、ビデオ信号端子１０８からは継続的に映像を出力する制御（ＶＣＲストップ制御）を実行するかを、ＴＶモニタ５１５が接続されているか否かに基づいて自動的に選択するように構成したので、意図せずに装置が自動的に電源ＯＦＦモード等に移行してしまい接続モニタ（ＴＶモニタ５１５）の映像が中断してしまう等という従来の問題点を解決することができる。
【００８６】
[第６の実施の形態]
本実施の形態では、上記図８のカメラ一体型記録装置５００の動作を、例えば、図１０に示すフローチャートに従った動作とする。
【００８７】
尚、上記図１０のフローチャートにおいて、上記図７及び図９のフローチャートと同様の処理実行する個所には同じ符号を付し、その詳細な説明は省略する。
【００８８】
すなわち、本実施の形態では、ユーザから「シャットオフ制御」が選択されているか或いは「ＶＣＲストップ制御」が選択されているかの判別の結果、及びＴＶモニタ５１５が接続されているか否かの判別の結果に基づいて、ＶＣＲストップ制御を実行する、或いはシャットオフ制御を実行する。
【００８９】
具体的には、上記図１０に示すように、先ず、ステップＳ４０６において、マイコン１０９は、ユーザから「シャットオフ制御」が選択されているか、或いは「ＶＣＲストップ制御」が選択されているかを判別する。
【００９０】
ステップＳ４０６の判別の結果、「シャットオフ制御」が選択されている場合、マイコン１０９は、スイッチ５１３の検出結果により、ビデオ信号端子１０８にビデオケーブル５１４が接続されているか否かを判別する（ステップＳ４０６´）。
【００９１】
ステップＳ４０６´の結果、ビデオ信号端子１０８にビデオケーブル５１４が接続されている場合、或いはステップＳ４０６の判別の結果、「ＶＣＲストップ制御」が選択されている場合、マイコン１０９は、ＶＣＲストップ制御を実行する（ステップＳ４０７）。
【００９２】
一方、ステップＳ４０６´の結果、ビデオ信号端子１０８にビデオケーブル５１４が接続されていない場合、マイコン１０９は、シャットオフ制御を実行する（ステップＳ４０８）。
【００９３】
上述のように本実施の形態では、所定期間記録一時停止モードが継続した場合に、自動的に停止モードヘの動作モードの移行、及びカメラ一体型記録装置１００全体を電源ＯＦＦとする制御（シャットオフ制御）を実行するか、或いはメカシャーシ（回転ドラム１０２及びキャプスタン／ピンチローラ１０３）のみ停止モードへ移行させ、ビデオ信号端子１０８からは継続的に撮像中の映像を出力する制御（ＶＣＲストップ制御）を実行するかを、ユーザからの選択、及びＴＶモニタ５１５が接続されているか否かに基づいて自動的に選択するように構成したので、意図せずに装置が自動的に電源ＯＦＦモード等に移行してしまい接続モニタ（ＴＶモニタ５１５）の映像が中断してしまう等という従来の問題点を解決することができる。
【００９４】
[第７の実施の形態]
本発明は、例えば、図１１に示すようなカメラ一体型記録装置６００に適用される。
本実施の形態のカメラ一体型記録装置６００は、上記図１のカメラ一体型記録装置１００の構成に対して、ディジタル録画装置６２０等の外部装置が接続可能な構成としている。
【００９５】
尚、上記図１１のカメラ一体型記録装置６００において、上記図１のカメラ一体型記録装置１００と同様に機能する個所には同じ符号を付し、その詳細な説明は省略する。
【００９６】
具体的には、まず、カメラ一体型記録装置６００は、上記図１のカメラ一体型記録装置１００の構成に対して、上記図１１に示すように、ディジタルインターフェース端子６１８、ディジタルインターフェース回路６１７、及びディジタル信号処理回路６１６を更に備えた構成としている。
【００９７】
ディジタル信号処理回路６１６は、ビデオ／オーディオ信号処理回路１０５から出力される信号をディジタル符号（ディジタルデータ）に変換する。このディジタルデータが、磁気テープ１０１に記録される。
【００９８】
ディジタルインターフェース回路６１７は、ディジタルインターフェース端子６１８，６２１及びディジタルケーブル６１９を介してディジタル録画装置６２０等の外部装置がカメラ一体型記録装置６００に接続されているか否かを検出すると共に、ディジタル信号処理回路６１６で得られたディジタルデータを通信用のデータ（ディジタル通信データ）に変換する。上記ディジタルインターフェース並びにディジタルケーブルは、その代表的なものとしてＩＥＥＥ１３９４やＵＳＢなどを用いるものとする。
【００９９】
尚、ディジタル録画装置６２０等の外部装置がカメラ一体型記録装置６００に接続されているか否かを検出する具体的な方法としては、例えば、ディジタルインターフェース端子６１８に対して、外部装置からＤＣバイアス電圧が印可されているか否か、また、通信データパケット等が入力されているか否かを検出する等の方法が挙げられる。
【０１００】
図１２は、カメラ一体型記録装置６００の動作をフローチャートによって示したものである。
例えば、マイコン１０９は、ＣＰＵにより、プログラムメモリに予め格納された上記図１２のフローチャートに従った処理プログラムを読み出して実行する。これにより、カメラ一体型記録装置６００は次のように動作する。
【０１０１】
尚、上記図１２のフローチャートにおいて、上記図７のフローチャートと同様の処理実行する個所には同じ符号を付し、その詳細な説明は省略する。
【０１０２】
すなわち、上記図７に示した動作（第４の実施の形態参照）では、ステップＳ４０６において、ユーザから「シャットオフ制御」が選択されているか、或いは「ＶＣＲストップ制御」が選択されているかを判別し、この判別結果に基づいて、ステップＳ４０７のＶＣＲストップ制御を実行する、或いはステップＳ４０８のシャットオフ制御を実行するが、本実施の形態では、上記図１２に示すように、ステップＳ４０６´´において、マイコン１０９は、ディジタルインターフェース回路６１７により、ディジタル録画装置６２０等の外部装置が接続されているか否かを判別する。
【０１０３】
ステップＳ４０６´´の判別の結果、外部装置が接続されている場合、マイコン１０９は、ＶＣＲストップ制御を実行する（ステップＳ４０７）。一方、外部装置が接続されていない場合、マイコン１０９は、シャットオフ制御を実行する（ステップＳ４０８）。
【０１０４】
尚、本実施の形態でのＶＣＲストップ制御では、メカシャーシ（回転ドラム１０２及びキャプスタン／ピンチローラ１０３）のみ停止モードへ移行され、ビデオ信号端子１０８と共に、ディジタルインターフェース端子６１８から、継続的に映像が出力される。したがって、ディジタルインターフェース端子６１８に接続された、例えば、ディジタル録画装置６２０では、カメラ一体型記録装置６００で得られた映像が継続して録画される。
【０１０５】
上述のように本実施の形態では、所定期間記録一時停止モードが継続した場合に、自動的に停止モードヘの動作モードの移行、及びカメラ一体型記録装置１００全体を電源ＯＦＦとする制御（シャットオフ制御）を実行するか、或いはメカシャーシ（回転ドラム１０２及びキャプスタン／ピンチローラ１０３）のみ停止モードへ移行させ、ビデオ信号端子１０８及びディジタルインターフェース端子６１８からは継続的に撮像中の映像を出力する制御（ＶＣＲストップ制御）を実行するかを、ディジタル録画装置６２０等の外部装置が接続されているか否かに基づいて自動的に選択するように構成したので、意図せずに装置が自動的に電源ＯＦＦモード等に移行してしまい当該外部装置の映像が中断してしまう等という従来の問題点を解決することができる。
【０１０６】
[第８の実施の形態]
本実施の形態では、上記図１１のカメラ一体型記録装置６００の動作を、例えば、図１３に示すフローチャートに従った動作とする。
【０１０７】
尚、上記図１３のフローチャートにおいて、上記図７及び図１２のフローチャートと同様の処理実行する個所には同じ符号を付し、その詳細な説明は省略する。
【０１０８】
すなわち、本実施の形態では、ユーザから「シャットオフ制御」が選択されているか或いは「ＶＣＲストップ制御」が選択されているかの判別の結果、及びディジタル録画装置６２０等の外部装置が接続されているか否かの判別の結果に基づいて、ＶＣＲストップ制御を実行する、或いはシャットオフ制御を実行する。
【０１０９】
具体的には、上記図１３に示すように、先ず、ステップＳ４０６において、マイコン１０９は、ユーザから「シャットオフ制御」が選択されているか、或いは「ＶＣＲストップ制御」が選択されているかを判別する。
【０１１０】
ステップＳ４０６の判別の結果、「シャットオフ制御」が選択されている場合、マイコン１０９は、ディジタルインターフェース回路６１７により、ディジタル録画装置６２０等の外部装置が接続されているか否かを判別する（ステップＳ４０６´´）。
【０１１１】
ステップＳ４０６´´の結果、外部装置が接続されている場合、或いはステップＳ４０６の判別の結果、「ＶＣＲストップ制御」が選択されている場合、マイコン１０９は、ＶＣＲストップ制御を実行する（ステップＳ４０７）。
【０１１２】
一方、ステップＳ４０６´´の結果、外部装置が接続されていない場合、マイコン１０９は、シャットオフ制御を実行する（ステップＳ４０８）。
【０１１３】
上述のように本実施の形態では、所定期間記録一時停止モードが継続した場合に、自動的に停止モードヘの動作モードの移行、及びカメラ一体型記録装置１００全体を電源ＯＦＦとする制御（シャットオフ制御）を実行するか、或いはメカシャーシ（回転ドラム１０２及びキャプスタン／ピンチローラ１０３）のみ停止モードへ移行させ、ビデオ信号端子１０８からは継続的に撮像中の映像を出力する制御（ＶＣＲストップ制御）を実行するかを、ユーザからの選択、及びディジタル録画装置６２０等の外部装置が接続されているか否かに基づいて自動的に選択するように構成したので、意図せずに装置が自動的に電源ＯＦＦモード等に移行してしまい当該外部装置の映像が中断してしまう等という従来の問題点を解決することができる。
【０１１４】
[第９の実施の形態]
本発明は、例えば、図１４に示すようなカメラ一体型記録装置７００に適用される。
本実施の形態のカメラ一体型記録装置７００は、上記図１１のカメラ一体型記録装置６００が磁気テープ１０１に情報記録する装置であるのに対して、例えば、ディスク記録媒体７２２に情報記録するように構成されている。
【０１１５】
尚、上記図１４のカメラ一体型記録装置７００において、上記図１１のカメラ一体型記録装置６００と同様に機能する個所には同じ符号を付し、その詳細な説明は省略する。また、上記図８のカメラ一体型記録装置５００の構成において、上記図１４の構成と同様にして、磁気テープ１０１の代わりにディスク記録媒体７２２に情報記録するようにしてもよい。
【０１１６】
具体的には、カメラ一体型記録装置７００は、ディスク記録媒体７２２を回転駆動するディスクモータ７２３、ディスク記録媒体７２２に信号を記録するための信号ヘッド７２４、及び信号ヘッド７２４の搬送を行うアクチュエータ７２５を備えている。したがって、サーボ／メカ駆動回路１０４は、ディスクモータ７２３及びアクチュエータ７２５を駆動制御する。
【０１１７】
上述のようなカメラ一体型記録装置７００において、記録一時停止モードでは、マイコン１０９は、サーボ／メカ駆動回路１０４により、ディスクモータ７２３を駆動制御すると共に、アクチュエータ７２５を介して信号ヘッド７２４を記録開始ポジションに制御する。
また、サーボ／メカのみの停止モードでは、マイコン１０９は、サーボ／メカ駆動回路１０４により、ディスクモータ７２３の駆動を停止制御する共に、アクチュエータ７２５を介して信号ヘッド７２４を待機ポジションに移動制御する。もしくは、サーボ／メカのみの停止モードにおいては、ディスクモータ７２３の駆動を停止制御し、信号ヘッド７２４は現在の位置を保持したまま待機（または記録開始位置で待機）するよう制御しても良い。
【０１１８】
本実施の形態においても、カメラ一体型記録装置７００が、上記図９或いは上記図１０に示したフローチャートに従って動作することで、第７及び第８の実施の形態等における効果と同様の効果が得られる。
【０１１９】
尚、第１〜第９の実施の形態では、情報記録する記録媒体を磁気テープ或いはディスク記録媒体としたが、これに限られることはない。
【０１２０】
また、本発明の目的は、第１〜第９の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１〜第９の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１〜第９の実施の形態の機能が実現されるだけでなく、そのプログラムコードの指示に基づき、コンピュータ上で稼動しているＯＳ等が実際の処理の一部又は全部を行い、その処理によって第１〜第９の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第９の実施の形態の機能が実現される場合も含まれることは言うまでもない。
【０１２１】
図１５は、上記コンピュータの機能９００を示したものである。
コンピュータ機能９００は、上記図１５に示すように、ＣＰＵ９０１と、ＲＯＭ９０２と、ＲＡＭ９０３と、キーボード（ＫＢ）９０９のキーボードコントローラ（ＫＢＣ）９０５と、表示部としてのＣＲＴディスプレイ（ＣＲＴ）９１０のＣＲＴコントローラ（ＣＲＴＣ）９０６と、ハードディスク（ＨＤ）９１１及びフレキシブルディスク（ＦＤ）９１２のディスクコントローラ（ＤＫＣ）９０７と、ネットワーク９２０との接続のためのネットワークインターフェースコントローラ（ＮＩＣ）９０８とが、システムバス６０４を介して互いに通信可能に接続された構成としている。
【０１２２】
ＣＰＵ９０１は、ＲＯＭ９０２或いはＨＤ９１１に記憶されたソフトウェア、或いはＦＤ９１２より供給されるソフトウェアを実行することで、システムバス９０４に接続された各構成部を総括的に制御する。
すなわち、ＣＰＵ９０１は、所定の処理シーケンスに従った処理プログラムを、ＲＯＭ９０２、或いはＨＤ９１１、或いはＦＤ９１２から読み出して実行することで、第１〜第９の実施の形態での動作を実現するための制御を行う。
【０１２３】
ＲＡＭ９０３は、ＣＰＵ９０１の主メモリ或いはワークエリア等として機能する。
ＫＢＣ９０５は、ＫＢ９０９や図示していないポインティングデバイス等からの指示入力を制御する。
ＣＲＴＣ９０６は、ＣＲＴ９１０の表示を制御する。
ＤＫＣ９０７は、ブートプログラム、種々のアプリケーション、編集ファイル、ユーザファイル、ネットワーク管理プログラム、及び第１〜第９の実施の形態における所定の処理プログラム等を記憶するＨＤ９１１及びＦＤ９１２とのアクセスを制御する。
ＮＩＣ９０８は、ネットワーク９２０上の装置或いはシステムと双方向にデータをやりとりする。
【０１２４】
【発明の効果】
以上説明したように本発明では、所定の動作モードの場合に、外部指示に基づいて、第１の駆動手段、第２の駆動手段、及び出力手段の少なくとも何れかを制御するように構成したので、例えば、記録媒体の第２の駆動手段が停止状態にあり、記録ヘッドの第１の駆動手段が動作状態にある記録一時停止モードの場合に、ユーザからの指示に基づいて、第１の駆動手段を停止状態とし、出力手段については継続して動作状態とすることができる。
【０１２５】
これにより、例えば、本発明による装置或いはシステムを映像製作等の業務用として使用し、野生動物等の撮影を行う場合に、長時間に渡ってモニタで撮影対象を観察しつつ、限られた撮影チャンスを捕らえるために、記録一時停止モードが継続されたとしても、自動的に電源ＯＦＦとはならず、モニタに対してビデオ信号（映像）がそのまま継続して出力されることになるため、不都合なく、当該撮影を続けて行うことができる。
【０１２６】
したがって、本発明によれば、家庭用としても業務用としても不都合なく情報記録動作を行える装置或いはシステムを提供することができる。
【図面の簡単な説明】
【図１】第１の実施の形態において、本発明を適用したカメラ一体型記録装置の構成を示すブロック図である。
【図２】上記カメラ一体型記録装置の動作を説明するためのフローチャートである。
【図３】第２の実施の形態において、上記カメラ一体型記録装置の表示パネルでの表示の一例を説明するための図である。
【図４】第２の実施の形態において、上記カメラ一体型記録装置の動作を説明するためのフローチャートである。
【図５】第３の実施の形態において、上記カメラ一体型記録装置の他の構成を示すブロック図である。
【図６】第４の実施の形態において、上記カメラ一体型記録装置の表示パネルでの表示の一例を説明するための図である。
【図７】第４の実施の形態において、上記カメラ一体型記録装置の動作を説明するためのフローチャートである。
【図８】第５の実施の形態において、本発明を適用したカメラ一体型記録装置の構成を示すブロック図である。
【図９】上記カメラ一体型記録装置の動作を説明するためのフローチャートである。
【図１０】第６の実施の形態において、上記カメラ一体型記録装置の動作を説明するためのフローチャートである。
【図１１】第７の実施の形態において、本発明を適用したカメラ一体型記録装置の構成を示すブロック図である。
【図１２】上記カメラ一体型記録装置の動作を説明するためのフローチャートである。
【図１３】第８の実施の形態において、上記カメラ一体型記録装置の動作を説明するためのフローチャートである。
【図１４】第９の実施の形態において、上記カメラ一体型記録装置の他の構成を示すブロック図である。
【図１５】上記カメラ一体型記録装置の機能をコンピュータに実現させるためのプログラムをコンピュータ読出可能な記憶媒体から読み出して実行する当該コンピュータの構成を示すブロック図である。
【図１６】従来のカメラ一体型記録装置の構成を示すブロック図である。
【符号の説明】
１００  カメラ一体型記録装置
１０１  磁気テープ
１０２  回転ドラム
１０３  キャプスタン／ピンチローラ
１０４  サーボ／メカ駆動回路
１０５  ビデオ／オーディオ信号処理回路
１０６  カメラブロック
１０７  マイクロフォン
１０８  ビデオ信号端子
１０９  マイクロコンピュータ
１１０  表示文字発生回路
１１１  操作キー
１１２  表示パネル
【図１】
0004366030.tif 000002
【図２】
0004366030.tif 000003
【図３】
0004366030.tif 000004
【図４】
0004366030.tif 000005
【図５】
0004366030.tif 000006
【図６】
0004366030.tif 000007
【図７】
0004366030.tif 000008
【図８】
0004366030.tif 000009
【図９】
0004366030.tif 000010
【図１０】
0004366030.tif 000011
【図１１】
0004366030.tif 000012
【図１２】
0004366030.tif 000013
【図１３】
0004366030.tif 000014
【図１４】
0004366030.tif 000015
【図１５】
0004366030.tif 000016
【図１６】
0004366030.tif 000017